(57)【要約】【課題】計量部内に収容された粉状洗剤等の粉体の量を簡単かつ確実に読み取ることができ、また、計量部の底面部の強度を高めることができる計量スプーンを提供する。【解決手段】計量部１１及び柄部１２を有し、シート成形により形成された計量スプーン１０であって、計量部１１の底面部１４に、計量機能と補強手段を兼ねた突出部２２を形成し、かつ、計量部１１の周面部１３の突出部２２の上面２２ａに対向する位置に、計量機能と補強手段を兼ねた第１の水平段差部１８を環状に形成した。【選択図】図１
2015040704.tif 000002
【特許請求の範囲】
【請求項１】
計量部及び柄部を有し、シート成形により形成された計量スプーンであって、
前記計量部の底面部に、計量機能と補強手段を兼ねた突出部を形成した計量スプーン。
【請求項２】
前記計量部の周面部の前記突出部の上面に対向する位置に、計量機能と補強手段を兼ねた水平段差部を環状に形成した請求項１記載の計量スプーン。
【請求項３】
前記突出部の上面と前記水平段差部の上面は、同一の高さにある請求項２記載の計量スプーン。
【請求項４】
前記計量部の周面部に、計量機能と補強手段を兼ねた垂直方向に延びる内側リブと環状の水平段差部をそれぞれ形成した請求項１〜３のいずれか１項に記載の計量スプーン。
【請求項５】
前記内側リブの上面と前記環状の水平段差部の上面を同一平面上に位置させた請求項４記載の計量スプーン。
【請求項６】
前記計量部の開口部の周縁部に、計量機能と補強手段を兼ねた張り出し部を形成した請求項１〜５のいずれか１項に記載の計量スプーン。
【請求項７】
前記計量部の底面部に、計量機能と補強手段を兼ねた突出部を複数形成した請求項１〜６のいずれか１項に記載の計量スプーン。
【請求項８】
前記計量機能は、計量とする計量値である請求項１〜７のいずれか１項に記載の計量スプーン。
【発明の詳細な説明】
【技術分野】
【０００１】
本発明は、粉状洗剤等の粉体を計量する、シート成形により成形された計量スプーンに関する。
【背景技術】
【０００２】
この種の計量スプーンとして、図１１に示すものが知られている（例えば、特許文献１参照。）。
【０００３】
この計量スプーン１は、図１１に示すように、計量部２と柄部３とからなり、ポリプロピレンシートをシート成形により形成したものである。また、計量部２の周面部２ａの両側には、底面部２ｂから開口部２ｃの周囲の水平面２ｄまで延びる一対の補強柱４，４を形成してある。また、計量部２の先端部には斜めに形成された掬い取り部５を有していると共に、計量部２の周面部２ａの後側（柄部３側）には補強傾斜面６を形成してある。さらに、計量部２の周面部２ａの後側から柄部３にかけて一対の補強リブ７，７と断面略U字状の補強溝８を形成してある。
【先行技術文献】
【特許文献】
【０００４】
【特許文献１】特開平８−１１０２５８号公報（図１）
【特許文献２】特開２００９−１２２０２９号公報（図１）
【発明の概要】
【発明が解決しようとする課題】
【０００５】
しかしながら、前記従来の計量スプーン１では、計量部２に計測用の目盛りが何ら施されていないため、計量部２内に掬い取られて収容された粉状洗剤等の粉体の量を簡単かつ確実に読み取ることが難しかった。特に、少量の粉状洗剤等の粉体を計量することが難しかった。また、計量部２の底面部２ｂは何ら補強されていないため、計量部２全体の強度が十分でなかった。特に、ポリプロピレンシートを真空成形によりシート成形して計量スプーン１を製造する場合には、シートと金型の間に残された空気を抜いて真空にする際に、計量部２の底面部２ｂの方が周面部２ａよりも金型側により強く引かれるため、計量部２の底面部２ｂの厚みが周面部２ａの厚みに比べて薄くなってしまい、底面部２ｂの剛性を十分に保つことが難しかった。
【０００６】
そこで、本発明は、前記した課題を解決すべくなされたものであり、計量部内に収容された粉状洗剤等の内容物の量を簡単かつ確実に読み取って計量することができ、また、計量部の底面部の剛性を高めることができる安価な計量スプーンを提供することを目的とする。
【課題を解決するための手段】
【０００７】
本発明は、計量部及び柄部を有し、シート成形により形成された計量スプーンであって、計量部の底面部に、計量機能と補強手段を兼ねた突出部を形成した計量スプーンを大量生産により低コストで提供する。
【発明の効果】
【０００８】
本発明によれば、底面部の突出部により計量部内に収容された少量の粉状洗剤等の内容物を簡単かつ確実に読み取って計量することができる。特に、計量する粉状洗剤等の内容物の容量が小さい場合に底面部の突出部を用い、計量する粉状洗剤等の内容物の容量が大きい場合に周面部の内側リブを用いることで、一つの計量スプーンで複数の計量を行うことができる。さらに、シート成形により形成される計量スプーンの計量部の底面部を突出部で確実に補強することができて、計量部全体の強度を高めることができる。
【図面の簡単な説明】
【０００９】
【図１】本発明の実施形態の計量スプーンを示す平面図である。
【図２】計量スプーンの側面図である。
【図３】計量スプーンの正面図である。
【図４】計量スプーンの背面図である。
【図５】図１中Ａ−Ａ線に沿う断面図である。
【図６】図１中Ｂ−Ｂ線に沿う断面図である。
【図７】計量スプーンの斜視図である。
【図８】計量スプーンで１８ｇの粉状洗剤等の粉体を計量した時の斜視図である。
【図９】計量スプーンで４５ｇの粉状洗剤等の粉体を計量した時の斜視図である。
【図１０】計量スプーンで５０ｇの粉状洗剤等の粉体を計量した時の斜視図である。
【図１１】従来の計量スプーンの斜視図である。
【発明を実施するための形態】
【００１０】
以下、本発明の一実施形態を図面に基づいて説明する。
【００１１】
図１は本発明の実施形態の計量スプーンを示す平面図、図２は同計量スプーンの側面図、図３は同計量スプーンの正面図、図４は同計量スプーンの背面図、図５は図１中Ａ−Ａ線に沿う断面図、図６は図１中Ｂ−Ｂ線に沿う断面図、図７〜図１０は同計量スプーンの斜視図である。
【００１２】
図１〜図４と図７〜図１０に示すように、計量スプーン１０は、粉状洗剤等の粉体Ｋを収容して計量する計量部１１と、この計量部１１から延びる柄部１２とを備えている。この計量スプーン１０は、樹脂シートをシート成形して得られたものであり、計量部１１と柄部１２とは一体に形成されている。具体的には、厚み０．８ｍｍ〜１．０ｍｍのポリプロピレン（ＰＰ）シートをアルミニウム製の雌型等を介して真空成形して、計量部１１と柄部１２とを一体に形成する。
【００１３】
図１〜図７に示すように、計量部１１は、内部に内容物としての粉状洗剤等の粉体Ｋを収容可能に形成されており、周面部１３と底面部１４を有し、その開口部１５の周縁部に、外方に向かう張り出し部１６を形成してある。具体的には、計量部１１は、前面片１３ａと両側面片１３ｂ，１３ｂ及び後面片１３ｃより成る周面部１３と底面部１４とで上面側が開口した有底の箱形に形成されており、底面部１４から張り出し部１６までの高さＨが３３ｍｍ、張り出し部１６の幅Ｗが５５ｍｍ、柄部１２を含めた張り出し部１６の長さＬが９５ｍｍに形成されている。
【００１４】
図２に示すように、計量部１１の周面部１３の掬い面としての前面片１３ａは７０°に傾斜していて、粉状洗剤等の粉体Ｋを掬い取り易くなっている。また、図３と図４に示すように、計量部１１の周面部１３の両側面片１３ｂ，１３ｂは５°の抜き勾配を有していて、真空成形後にアルミニウム製の雌型等から離型し易くなっている。さらに、計量部１１の周面部１３の略中央には、計量用の目盛り（計量機能）と補強手段を兼ねた第１の水平段差部１８を環状に形成してあると共に、該周面部１３の上端部（張り出し部１６の下側）には、計量用の目盛り（計量機能）と補強手段を兼ねた第２の水平段差部１９を環状に形成してある。
【００１５】
また、図１及び図５〜図７に示すように、計量部１１の周面部１３の両側面片１３ｂ，１３ｂの略中央には、計量用の目盛り（計量機能）と補強手段を兼ねた垂直方向に延びると共に略三角錐状で内側に突出する内側リブ２０を形成してある。さらに、計量部１１の周面部１３の後面片１３ｃの略中央には、計量用の目盛りと補強手段を兼ねた垂直方向に延びると共に略三角錐状で外側に突出する外側リブ２１を形成してある。こらら第２の水平段差部１９の上面１９ａと内，外側リブ２０，２１の各上面２０ａ，２１ａとは同一平面になっていて、これらの各上面１９ａ，２０ａ，２１ａまで粉状洗剤等の粉体Ｋを収容した場合（この状態を図９に示す）には、その量が標準使用量（５リットルの水に対する洗剤の使用量である４５ｇ）に計量されるようになっている。すなわち、第２の水平段差部１９の上面１９ａと内，外側リブ２０，２１の各上面２０ａ，２１ａが、収容された粉状洗剤等の粉体Ｋの量が標準使用量の４５ｇであることを表示する目盛りとして機能するようになっている。
【００１６】
図１及び図５〜図７に示すように、計量部１１の底面部１４の略中央には、計量用の目盛り（計量機能）と補強手段を兼ねた略円錐台形状の突出リブ（突出部）２２を一体に形成してある。この突出リブ２２の上面２２ａの位置と周面部１３の略中央に形成された第１の水平段差部１８の上面１８ａの位置とは同一の高さ位置になるように形成されている。そして、図８に示すように、計量部１１内の第１の水平段差部１８の上面１８ａ及び突出リブ２２の上面２２ａまで粉状洗剤等の粉体Ｋを収容した場合に、その量が最小使用量の１８ｇであることが計量されるようになっている。すなわち、第１の水平段差部１８の上面１８ａ及び突出リブ２２の上面２２ａが、収容された粉状洗剤等の粉体Ｋの量が最小使用量の１８ｇであることを表示する目盛りとして機能するようになっている。なお、突出リブ２２の高さは、３〜２０ｍｍ、好ましくは７〜１６ｍｍである。
【００１７】
図１及び図５〜図７に示すように、計量部１１の開口部１５の周縁部には、計量用の目盛り（計量機能）と補強手段を兼ねた張り出し部１６を形成してある。この張り出し部１６は、計量部１１の開口部１５の周縁部から柄部１２の周縁部の周りまで水平に張り出すように一体に形成してあり、上面１６ａと折り返し垂直部１６ｂと折り返し水平部１６ｃとを有している。そして、図１０に示すように、計量部１１内の張り出し部１６の上面１６ａまで粉状洗剤等の粉体Ｋを収容した場合に、その量が最大使用量の５０ｇであることが計量されるようになっている。すなわち、計量部１１の開口部１５の周縁部の張り出し部１６の上面１６ａが、収容された粉状洗剤等の粉体Ｋの量が最大使用量の５０ｇであることを表示する目盛りとして機能するようになっている。
【００１８】
柄部１２の中央には、断面略U字長溝状の補強凹部２３を長手方向に延びるように形成してある。また、柄部１２の中央の補強凹部２３の両側には、断面略U字長溝状の補強凹部２４を長手方向にそれぞれ延びるように形成してある。これら各補強凹部２３，２４及び柄部１２の周囲の計量部１１の開口部１５の周縁部より延びる張り出し部１６により柄部１２の強度が補強され、剛性が高められている。
【００１９】
尚、図５に示すように、突出リブ２２の底面部１４側の円弧状断面の曲率半径Ｒ１は５ｍｍに、突出リブ２２の上面２２ａ側の円弧状断面の曲率半径Ｒ２は２ｍｍに、周面部１３と底面部１４の角部の円弧状断面の曲率半径Ｒ３は６ｍｍに、それぞれ設定してある。これらの曲率半径を有した各曲面部により、ポリプロピレンシートを真空成形によりシート成形して計量スプーン１０を製造する過程で、シートと金型の間に残された空気を抜いて真空にする際に、計量部１１の底面部１４の方が周面部１３よりも金型により強く引かれて、計量部１１の底面部１４の厚みが周面部１３の厚みに比べて薄くなる（例えば、底面部１４の厚みは０．４ｍｍ、周面部１３の厚みは０．８ｍｍ）が、計量部１１の周面部１３よりも薄肉に形成された底面部１４の剛性（強度）が高められている。
【００２０】
また、図1に示すように、計量部１１の開口部１５側の張り出し部１６の角部の曲率半径Ｒ４は１３ｍｍに、柄部１２側の張り出し部１６の角部の曲率半径Ｒ５は１８ｍｍに、それぞれ設定されていて、これらの曲率半径を有した各曲面部により、張り出し部１６の剛性（強度）が高められている。
【００２１】
以上実施形態の計量スプーン１０によれば、ポリプロピレンシートのシート成形により短時間で計量部１１と柄部１２とを一体に形成することができるため、少量ロッドで生産性を高めることができ、計量スプーン１０を低コストで製造することができる。
【００２２】
特に、計量部１１の底面部１４の略中央に、計量用の目盛り（計量機能）と補強手段を兼ねた突出リブ２２を一体に形成し、かつ、計量部１１の周面部１３の突出リブ２２の上面２２ａに対向する位置に、計量用の目盛り（計量機能）と補強手段を兼ねた第１の水平段差部１８を環状に形成したことにより、これら環状の第１の水平段差部１８の上面１８ａと突出リブ２２の上面２２ａとそれぞれ面一になるように、計量部１１内に粉状洗剤等の粉体Ｋを収容すれば、この収容量が最小使用量の１８ｇであると、簡単に読み取ることができて確実に計量することができる。この最小使用量の計量状態を図８に示す。
【００２３】
また、シート成形により計量部１１の周面部１３より薄肉に形成される底面部１４の略中央に、上面２２ａで閉塞させた略円筒錐状の突出リブ２２を一体に形成したことにより、この突出リブ２２で薄肉の底面部１４を確実に補強することができ、計量部１１全体の強度をより一段と強くすることができる。
【００２４】
また、計量部１１の周面部１３に、計量用の目盛り（計量機能）と補強手段を兼ねた垂直方向に延びる一対の内側リブ２０，２０と外側リブ２１及び環状の第２の水平段差部１９をそれぞれ形成し、この環状の第２の水平段差部１９の上面１９ａと内側リブ２０の上面２０ａ及び外側リブ２１の上面２１ａを同一平面上に位置させたことにより、これら第２の水平段差部１９と内，外側リブ２０，２１で周面部１３の強度をより一段と強くすることができる。
【００２５】
また、周面部１３の環状の第２の水平段差部１９の上面１９ａと内側リブ２０の上面２０ａ及び外側リブ２１の上面２１ａとそれぞれ面一になるように、計量部１１内に粉状洗剤等の粉体Ｋを収容すれば、この収容量が標準使用量の４５ｇであると、簡単に読み取ることができて確実に計量することができる。この標準使用量の計量状態を図９に示す。
【００２６】
さらに、計量部１１の開口部１５の周縁部に、計量用の目盛り（計量機能）と補強手段を兼ねた張り出し部１６を柄部１２側まで環状に形成したことにより、この張り出し部１６で計量部１１の開口部１５の周縁部及び柄部１２の強度をより一段と強くすることができる。
【００２７】
また、計量部１１の張り出し部１６の上面１６ａと面一になるように、計量部１１内に粉状洗剤等の粉体Ｋを収容すれば、この収容量が最大使用量の５０ｇであると、簡単に読み取ることができて確実に計量することができる。この最大使用量の計量状態を図１０に示す。
【００２８】
このように、シート成形により形成された計量スプーン１０の一つの計量部１１で、異なる使用形態の適量である１８ｇ、４５ｇ、５０ｇの粉状洗剤等の粉体Ｋを簡単かつ確実に瞬時に計量することができる。また、計量部１１に目盛りとしての数値の表示がなくとも、第１の水平段差部１８の上面１８ａと突出リブ２２の上面２２ａが最小使用量の目盛りとして機能し、環状の第２の水平段差部１９の上面１９ａと内，外側リブ２０，２１の各上面２０ａ，２１ａが標準使用量の目盛りとして機能し、張り出し部１６の上面１６ａが最大使用量の目盛りとして機能するため、各上面に合わせるように計量部１１内に粉状洗剤等の粉体Ｋを収容するだけの作業で、各使用量を簡単に読み取って使用することができる。
【００２９】
尚、前記実施形態によれば、底面部に最小量を計量する突出リブを周面部とつながることなく一つ独立させて形成したが、底面部に同じ高さの突出リブを複数独立させて形成しても良く、また、高さの異なる突出リブを複数独立させて形成して目盛りの機能（計量機能）を増やしても良い。さらに、突出リブの上面の形状は、円形だけでなく、矩形等でも良い。
【００３０】
また、前記実施形態によれば、補強用のリブは周面部であればどこでも良く、さらに、周面部の側面片と後面片に補強用のリブを一つずつ形成したが、複数形成しても良く、また、周面部の前面片に補強用のリブを形成しても良い。
【００３１】
さらに、前記実施形態によれば、目盛りの最小使用量を１８ｇ、標準使用量を４５ｇ、最大使用量を５０ｇとしたが、計量部の容量を２倍にして、１８ｇ、９０ｇ、１００ｇの粉体を計量できるようにしても良い。
【００３２】
また、前記実施形態によれば、樹脂シートとしてポリプロピレン（ＰＰ）シートを使用したが、ポリスチレン、ポリエチレンテレフタレート、ポリ塩化ビニル等のシートを樹脂シートとして使用しても良い。
【００３３】
さらに、前記実施形態によれば、計量部で計量する内容物として、粉状洗剤等の粉体について説明したが、粉状洗剤等の粉体に限られるものではなく、液状洗剤等の液体を内容物としても良い。
【００３４】
さらに、前記実施形態によれば、突出リブの上面、内側リブの上面、水平段差部の上面を計量が容易な様に平坦な面に加工して計量用の目盛りとして機能させたが、各上面に１８ｇ、４５ｇ、５０ｇ等の具体的な数値を表示して計量機能を持たせても良い。また、ドットパターンや図柄、模様などによって計量機能を持たせても良い。図柄や模様などの場合は、説明文によって相当する分量を対応させることができる。
【００３５】
前述した本発明の実施形態に関し、更に以下の付記（計量スプーン）を開示する。
【００３６】
＜１＞
計量部及び柄部を有し、シート成形により形成された計量スプーンであって、
前記計量部の底面部に、計量機能と補強手段を兼ねた突出部を形成し、
前記柄部の中央には、断面略U字長溝状の補強凹部を長手方向に延びるように形成してある計量スプーン。
【００３７】
＜２＞
前記突出部は、円錐台形状である＜１＞記載の計量スプーン。
【００３８】
＜３＞
前記柄部の中央には、断面略U字長溝状の補強凹部を長手方向に延びるように形成してある＜２＞記載の計量スプーン。
【００３９】
＜４＞
前記計量部で計量する内容物は、粉状洗剤である＜３＞記載の計量スプーン。
【００４０】
＜５＞
計量部及び柄部を有し、シート成形により形成された計量スプーンであって、
前記計量部の底面部に、計量機能と補強手段を兼ねた突出部を形成し、
前記シート成形はポリプロピレンシートである計量スプーン。
【００４１】
＜６＞
前記突出部は、円錐台形状である＜５＞記載の計量スプーン。
【００４２】
＜７＞
前記計量部で計量する内容物は、粉状洗剤である＜６＞記載の計量スプーン。
【００４３】
＜８＞
計量部及び柄部を有し、シート成形により形成された計量スプーンであって、
前記計量部の底面部に、計量機能と補強手段を兼ねた突出部を形成し、
前記柄部の厚みは前記底面部の厚みより厚い計量スプーン。
【００４４】
＜９＞
計量部及び柄部を有し、シート成形により形成された計量スプーンであって、
前記計量部の底面部に、計量機能と補強手段を兼ねた突出部を形成し、
前記底面部の厚みは前記柄部の厚みより厚い計量スプーン。
【符号の説明】
【００４５】
１０  計量スプーン
１１  計量部
１２  柄部
１３  周面部
１４  底面部
１５  開口部
１６  張り出し部
１６ａ  上面（計量機能：最大使用量の目盛り）
１８  第１の水平段差部（水平段差部）
１８ａ  上面（計量機能：最小使用量の目盛り）
１９  第２の水平段差部（環状の水平段差部）
１９ａ  上面（計量機能：標準使用量の目盛り）
２０  内側リブ
２０ａ  上面（計量機能：標準使用量の目盛り）
２２  突出リブ（突出部）
２２ａ  上面（計量機能：最小使用量の目盛り）
Ｋ  粉状洗剤等の粉体（内容物）
【図１】
2015040704.tif 000003
【図２】
2015040704.tif 000004
【図３】
2015040704.tif 000005
【図４】
2015040704.tif 000006
【図５】
2015040704.tif 000007
【図６】
2015040704.tif 000008
【図７】
2015040704.tif 000009
【図８】
2015040704.tif 000010
【図９】
2015040704.tif 000011
【図１０】
2015040704.tif 000012
【図１１】
2015040704.tif 000013